(57)【特許請求の範囲】
【請求項１】
器具本体と、前記器具本体に被せるように対向配置された反射板と、前記器具本体に設けられた受け部材と、前記反射板に予め取り付けられ、つまみ部から延びる軸部の先端に引掛け部を形成した係止部材とを備え、器具本体に反射板を所定の位置関係に配置すると共に、係止部材の引掛け部を受け部材内に挿入して係止させることにより器具本体に反射板を固定した照明器具であって、
前記受け部材は、前記器具本体から起立した一対の側板部と、前記側板部の先端から内側へ鋭角に折曲成形された内折部と、前記内折部の先端から外側へ拡開するように折曲成形された外折部とを含み、内折部と外折部間に位置して対向する折曲部間で幅狭な隙間を形成した帯板状ばね材で構成し、前記受け部材を、その側板部の拡開を規制する側壁部を有するカバーで囲撓し、
前記係止部材の引掛け部を受け部材の内折部間から外折部間に、少なくとも内折部を弾性変形により押し広げて移動させることにより、係止部材の引掛け部を外折部間に係止したことを特徴とする照明器具。
【請求項２】
前記カバーは、係止部材の引掛け部の受け部材への挿入を誘導するガイド面を反射板に向けて配置したことを特徴とする請求項１記載の照明器具。
【請求項３】
前記カバーのガイド面の最奥部に、係止部材の引掛け部の断面形状と対応した形状を有する孔を穿設したことを特徴とする請求項２記載の照明器具。
【請求項４】
前記ガイド面の最奥部の孔の中央部位に、係止部材の軸部の断面形状と対応した形状を有する孔を連設したことを特徴とする請求項３記載の照明器具。
【発明の詳細な説明】
【０００１】
【発明の属する技術分野】
本発明は照明器具に関し、詳しくは、直管形蛍光ランプ用の天井直付型照明器具において、器具本体に対する反射板の取り付け構造に関する。
【０００２】
【従来の技術】
直管形蛍光ランプ用の天井直付型照明器具は、例えば、天井に取り付けられた器具本体と、その器具本体の両端に配設されたソケット取付具及びそのソケット取付具に装着されたソケットと、その器具本体を覆うように器具本体に取り付けられたＶ形の反射板とで構成されている。
【０００３】
この反射板の器具本体への取り付けは、図示しないが、化粧ビスを反射板に穿設された貫通孔に挿通して、器具本体に設けられたねじ孔に螺着することにより行われる。
【０００４】
【発明が解決しようとする課題】
ところで、前述した化粧ビスを利用した反射板の取り付け構造では、化粧ビスを回転操作しなければならず、しかも、この回転操作は、室内などの高い天井において器具本体へ反射板を位置合わせして押さえ付けながら行わなければならないために困難性を伴う。この化粧ビスの取り付け時に手元が狂えば、化粧ビスを取り落とすこともあり、作業性が非常に悪く、取り付け工数がかかる。また、化粧ビスとはいえ、反射板の取り付け面から突出した形態となっているので外観も良好なものではなかった。
【０００５】
そこで、これらの問題点を考慮した他の反射板の取り付け構造としては、図１３（ａ）（ｂ）に示すように器具本体４１に設けられた受け部材４２に対して反射板４３から係止部材４４を挿入することにより、器具本体４１に反射板４３を固定するものである。
【０００６】
具体的には、器具本体４１に設けられた受け部材４２の頂部には、器具本体４１の幅方向に沿う長孔４５を形成され、一方、係止部材４４として、つまみ部４６から一体的に延びる軸部４７の先端に引掛け部４８を一連に形成したものを使用する。つまみ部４６は、後述するように作業者が回転操作しやすいように窪み４９を両側に設けることにより、手でつまむことを容易にしている。
【０００７】
尚、反射板４３における受け部材４２の対向部位には、前述の係止部材４４のつまみ部４６が嵌まり込む凹み部５０が形成され、その凹み部５０の中央部位には長孔５１が穿設されている。
【０００８】
この反射板４３の取り付け構造では、天井に取り付けられた器具本体４１に対して反射板４３を位置合わせした後、その反射板４３の凹み部５０に穿設された長孔５１に係止部材４４を挿入する。この時、係止部材４４の軸部４７の先端にある引掛け部４８が器具本体４１の受け部材４２の長孔４５に挿入された状態となる。
【０００９】
この状態から、係止部材４４をそのつまみ部４６の窪み４９を利用して９０°回転させる。これにより、図１４（ａ）（ｂ）に示すようにつまみ部４６が反射板４３の凹み部５０に嵌まり込んだ状態となり、軸部４７の先端に位置する引掛け部４８が器具本体４１の受け部材４２の長孔４５に対して直交する方向となって引掛けられた状態となる。
【００１０】
しかしながら、前述した係止部材４４による反射板４３の取り付け構造では、係止部材４４の先端にある引掛け部４８が受け部材４２にスムーズに挿入されるとは限らず、特に、室内などの高い天井において器具本体へ反射板を位置合わせして押さえ付けながら行わなければならないために困難性を伴い、作業性が悪いという問題が依然として存在する。
【００１１】
そこで、本発明は前述の問題点に鑑みて提案されたもので、その目的とするところは、反射板を器具本体に簡単かつ迅速に取り付け得る照明器具を提供することにある。
【００１２】
【課題を解決するための手段】
前述した目的を達成するための技術的手段として、本発明は、器具本体と、前記器具本体に被せるように対向配置された反射板と、前記器具本体に設けられた受け部材と、前記反射板に予め取り付けられ、つまみ部から延びる軸部の先端に引掛け部を形成した係止部材とを備え、器具本体に反射板を所定の位置関係に配置すると共に、係止部材の引掛け部を受け部材内に挿入して係止させることにより器具本体に反射板を固定した照明器具であって、前記受け部材は、器具本体から起立した一対の側板部と、側板部の先端から内側へ鋭角に折曲成形された内折部と、内折部の先端から外側へ拡開するように折曲成形された外折部とを含み、内折部と外折部間に位置して対向する折曲部間で幅狭な隙間を形成した帯板状ばね材で構成し、前記受け部材を、その側板部の拡開を規制する側壁部を有するカバーで囲撓し、前記係止部材の引掛け部を受け部材の内折部間から外折部間に、少なくとも内折部を弾性変形により押し広げて移動させることにより、係止部材の引掛け部を外折部間に係止したことを特徴とする。
【００１３】
尚、前述のカバーは、係止部材の引掛け部の受け部材への挿入を誘導するガイド面を反射板に向けて配置することが望ましい。また、カバーのガイド面の最奥部に、係止部材の引掛け部の断面形状と対応した形状を有する孔を穿設することや、ガイド面の最奥部の孔の中央部位に、係止部材の軸部の断面形状と対応した形状を有する孔を連設することが望ましい。
【００１４】
【発明の実施の形態】
本発明に係る照明器具の実施形態を以下に詳述する。
【００１５】
この実施形態は、図１に示すように直管形蛍光ランプ用の天井直付型照明器具において、断面ほぼコ字状の器具本体１（図２参照）に対する断面Ｖ形の反射板２（図３参照）の取り付け構造である。まず、器具本体１の両端部にソケット３が装着されたソケット取付具４を設け、その近傍部位に受け部材５を配設する。尚、器具本体１の両端には側板３１（図１参照）が取り付けられる。
【００１６】
この受け部材５は、図４（ａ）〜（ｃ）に示すように一枚の帯板状ばね材を以下の形状に折り曲げ成形し、器具本体１の長手方向と直交する方向、即ち、前述の帯板状ばね材の幅方向が器具本体１の長手方向に沿うように配置したものであり、器具本体１にねじ止め等により固定された底板部６と、その底板部６の両端から起立した一対の側板部７と、その側板部７の先端から内側へ鋭角に折曲成形された内折部８と、その内折部８の先端から外側へ拡開するように折曲成形された外折部９とからなり、内折部８と外折部９間に位置して対向する折曲部１０間で幅狭な隙間ｍを形成する。尚、前述した側板部７は、後述する係止部材１６の先端の抜けを防止するため、内側に弾性力が作用し易いように若干内側へ折り曲げ成形した形状を有する。この側板部７は、図示以外にも、全体を若干内側に傾斜させた形状としてもよい。
【００１７】
ここで、図５（ａ）〜（ｄ）及び図６（ａ）（ｂ）に示すようにこの受け部材５を囲撓するようにカバー１１が設けられる。このカバー１１は中空状の樹脂成形品であり、受け部材５を囲撓するように器具本体１に取り付けられる。このカバー１１は、受け部材５の周囲を囲撓する側壁部１２を有し、その側壁部１２から延びる頂部には、反射板２と対向する部位にすり鉢状のガイド面１３が形成され、その最奥部に器具本体１の長手方向に沿う長孔１４が穿設され、その長孔１４のほぼ中央部位に長孔方向と直交する方向に細孔１５を連設する。この長孔１４と細孔１５との交差部位に、係止部材１６の軸部１８の円形部３３を位置規制する丸孔３５を一連に有する。尚、図中、３６はカバー１１を、器具本体１の取付孔３７に嵌合させることにより係止するための取付片である。
【００１８】
一方、係止部材１６は、図７（ａ）〜（ｄ）及び図８（ａ）（ｂ）に示すようにつまみ部１７から一体的に延びる軸部１８の先端に引掛け部１９を一連に形成したもので、金属製の芯材２０とその芯材２０の一部を被覆する樹脂材２１とで構成される。つまみ部１７は、芯材２０を被覆した樹脂材２１でもって所定の形状、即ち、係止部材１６を反射板２に取り付けた時に、つまみ部１７が反射板２の稜線形状面２２に形成された凹み部２３に配置されて反射板２の稜線形状面２２と面一になるような稜線形状面３２を有する〔図１及び図９（ｂ）参照〕。尚、つまみ部１７の裏面には、後述の反射板２の凹み部２３の平坦面２４に設けられた凸部２５が入り込む凹溝２６が形成されている。
【００１９】
軸部１８のつまみ部１７の直下部位には、つまみ部１７との間で反射板２が入り込むように若干の隙間を介して突起部２７が樹脂材２１で形成され、その突起部２７は反射板２の長手方向と直交する方向に張り出させている。この軸部１８は、つまみ部側のほぼ半分程度が断面円形で所定の外径を有する円形部３３と、引掛け部側のほぼ半分程度が一部で芯材２０が露呈した断面四角形で各辺が所定の寸法を有する矩形部３４とで構成される。また、前述の軸部１８の先端に位置する引掛け部１９は、軸部１８に向けて拡幅してその軸部１８との間で幅狭となる正三角形を有する芯材２０からなり、前述の突起部２７と同様、反射板２の長手方向と直交する方向に張り出した形状をなす。
【００２０】
また、反射板２（図３参照）における稜線部２２の受け部材対向部位には、図９（ａ）〜（ｃ）に示すように前述の係止部材１６のつまみ部１７が入り込む凹み部２３が例えば絞り加工により形成され、その凹み部２３に形成された平坦面２４に反射板２の幅方向に沿う長孔２８を穿設する。尚、この平坦面２４には、前述した係止部材１６のつまみ部１７の裏面に形成された凹溝２６に入り込んで位置決めされる凸部２５が形成され、更に、長孔２８の両側には裏面側に突出する膨出部２９が形成され、係止部材１６の反射板２への取り付け時に、この膨出部２９に突起部２７が当接することにより反射板２に対する係止部材１６のがたつきを抑制するようにしている。
【００２１】
本発明では、反射板２を器具本体１に取り付ける要領は以下の通りである。
【００２２】
まず、反射板２を器具本体１に取り付けるに先立って、反射板２に係止部材１６を予め装着しておく。即ち、係止部材１６を反射板２の凹み部２２に穿設された長孔２８に挿入する。この時、係止部材１５のつまみ部１６を反射板２の長手方向と直交する方向に向けて挿入することにより、その係止部材１６の軸部１８の先端にある引掛け部１９及び軸部１８の基端にある突起部２７を長孔２８に挿通させることができ、その上で、係止部材１６のつまみ部１７を９０°回転させる。
【００２３】
これにより、図１０に示すように係止部材１６のつまみ部１７と突起部２７との間に反射板２の凹み部２３が挟み込まれてその反射板２に係止部材１６が支持される。この時、つまみ部１７の裏面にある凹溝２６に反射板２の凹み部２３の平坦面２４にある凸部２５が入り込んで係止部材１６の回転方向を規制して位置決めする。また、反射板２の凹み部２３の平坦面２４にある膨出部２９が係止部材１６の突起部２７に当接することにより、反射板２に対する係止部材１６のがたつきを防止する。この状態で、係止部材１６のつまみ部１７は、その外表面である稜線形状面３２が反射板２の稜線形状面２２と面一になる〔図１及び図９（ｂ）参照〕。また、係止部材１６の軸部１８の先端にある引掛け部１９は、反射板２の長手方向と直交する方向に張り出すように向くことになる。
【００２４】
このようにして係止部材１６が予め取り付けられた反射板２を、天井に取り付けられた器具本体１に対して位置合わせした上で押し付ける。この押し付けだけにより反射板２は器具本体１に取り付けられる。即ち、反射板２の係止部材１６の先端にある引掛け部１９が、まずカバー１１の長孔１４の中央で交差する細孔１５に挿通される。この時、カバー１１のすり鉢状のガイド面１３に誘導されるため、係止部材１６の引掛け部１９が前述の細孔１５にスムーズに挿入される。
【００２５】
その後、係止部材１６の引掛け部１９は受け部材５の内折部８に当接する。反射板２の押し付けにより、図１１に示すように引掛け部１９が受け部材５の内折部８を外側へ押し広げようとし、まず、その受け部材５の側板部７が弾性力に抗して外側に拡開する。その側板部７がある程度拡開すると、カバー１１に当接してその変形が規制されるため、その後は内折部８が弾性力に抗して変形して内折部８と外折部９間に位置して対向する折曲部１０間で幅狭な隙間ｍを大きくしていく。
【００２６】
そして、その隙間ｍを引掛け部１９が通過すると、図１２に示すように内折部８及び側板部７が弾性力により元の状態に復帰する。このように係止部材１６の引掛け部１９が、対向する折曲部１０間の隙間ｍを通過してしまうと、その引掛け部１９が外折部９に当接して引掛けられた状態となり、その係止部材１６により反射板２が器具本体１に装着される。
【００２７】
この時、係止部材１６の軸部１８では、引掛け部側に位置する矩形部３４が断面四角形となっているので、受け部材５の内折部８と外折部９間の折曲部１０と線接触していることから、係止部材１６が回転方向にがたつきがない。また、つまみ部側に位置する円形部３３が断面円形となっているので、カバー１１の長孔１４と細孔１５との交差部位にある丸孔３５でもって位置ずれが規制される。
【００２８】
また、受け部材５がカバー１１に囲撓されていることから、反射板２の装着後、係止部材１６の引掛け部１９が受け部材５から抜けようとしても、受け部材５の側板部７が拡開することをカバー１１が規制するため、その側板部７が拡開することはなく、その結果、係止部材１６の引掛け部１９が受け部材５の対向する折曲部１０間の隙間ｍから抜けることはないので、反射板２の落下防止が確実である。
【００２９】
反射板２の器具本体１からの取り外しは以下の要領でもって行えばよい。
【００３０】
まず、係止部材１６のつまみ部１６を９０°回転させることにより、その係止部材１６の軸部１８の先端にある引掛け部１９を９０°回転させてその張り出し方向を器具本体１の長手方向に沿わせる。これにより、その係止部材１６の引掛け部１９が受け部材５の対向する折曲部１０間の隙間ｍを通過することが可能となる。従って、係止部材１６の受け部材５への引掛け状態が解除されるため、反射板２を器具本体１から取り外すことが可能となる。
【００３１】
尚、以上の実施形態では、器具本体１が天井に取り付けられた天井直付型照明器具について説明したが、本発明はこれに限定されることなく、例えば、器具本体１が天井から吊り下げられた状態で反射板２を取り付ける場合にも適用可能である。
【００３２】
【発明の効果】
本発明によれば、反射板を器具本体に装着した状態では、カバーにより受け部材から係止部材が抜脱することを確実に防止することができ、また、反射板の器具本体への装着時、カバーのガイド面により係止部材を受け部材へスムーズに挿入することができて、特に室内などの高い天井での取り付け作業においてその作業性が大幅に改善され、反射板を器具本体に簡単かつ迅速に取り付けることができて、その実用的価値は非常に大きい。
【図面の簡単な説明】
【図１】本発明に係る照明器具の実施形態を示す一部省略部分を含む側面図
【図２】（ａ）は器具本体を示す側面図
（ｂ）は（ａ）の平面図
（ｃ）は（ｂ）の正面図
【図３】反射板を示す平面図
【図４】（ａ）は受け部材を示す側面図
（ｂ）は（ａ）の底面図
（ｃ）は（ａ）の側面図
【図５】（ａ）はカバーを示す平面図
（ｂ）は（ａ）の正面図
（ｃ）は（ｂ）の側面図
（ｄ）は（ｂ）の底面図
【図６】（ａ）は図５（ａ）のＥ−Ｅ線に沿う断面図
（ｂ）は図５（ａ）のＦ−Ｆ線に沿う断面図
【図７】（ａ）は係止部材を示す平面図
（ｂ）は（ａ）の正面図
（ｃ）は（ｂ）の側面図
（ｄ）は（ｂ）の底面図
【図８】（ａ）は図７（ｂ）のＣ−Ｃ線に沿う断面図
（ｂ）は図７（ｃ）のＤ−Ｄ線に沿う断面図
【図９】（ａ）は図３の要部拡大平面図
（ｂ）は（ａ）のＡ−Ａ線に沿う断面図
（ｃ）は（ａ）のＢ−Ｂ線に沿う断面図
【図１０】器具本体の受け部材へ反射板の係止部材を挿入する前の状態を示す断面図
【図１１】器具本体の受け部材へ反射板の係止部材を挿入する途中の状態を示す断面図
【図１２】器具本体の受け部材へ反射板の係止部材を挿入した後の状態を示す断面図
【図１３】（ａ）は本発明の前提となる反射板の取り付け構造で、係止部材の挿入前の状態を示す断面図
（ｂ）は（ａ）のＧ−Ｇ線に沿う断面図
【図１４】（ａ）は図１３（ａ）の係止部材を挿入した後に９０°回転させた状態を示す断面図
（ｂ）は（ａ）のＨ−Ｈ線に沿う断面図
【符号の説明】
１  器具本体
２  反射板
５  受け部材
７  側板部
８  内折部
９  外折部
１０  折曲部
１１  カバー
１２  側壁部
１３  ガイド面
１５  孔（細孔）
１６  係止部材
３５  孔（丸孔）
ｍ  隙間
【図１】
0004018792.tif 000002
【図２】
0004018792.tif 000003
【図３】
0004018792.tif 000004
【図４】
0004018792.tif 000005
【図５】
0004018792.tif 000006
【図６】
0004018792.tif 000007
【図７】
0004018792.tif 000008
【図８】
0004018792.tif 000009
【図９】
0004018792.tif 000010
【図１０】
0004018792.tif 000011
【図１１】
0004018792.tif 000012
【図１２】
0004018792.tif 000013
【図１３】
0004018792.tif 000014
【図１４】
0004018792.tif 000015